(57)【要約】      （修正有）【課題】使用上の利便性を向上させ、耐用性等を増加する目的を達成することができる、研磨機能を有するハンド・ツールを提供する。【解決手段】研磨機能を有するハンド・ツールには１つのグリップ本体１０が含まれ、そのグリップ本体の少なくとも一端にツール・ヘッド３０が接続していて、このツール・ヘッドで１つの加工部品を駆動させる。そのグリップ本体の外周面上には少なくとも１つの中央軸線に向かって深く入り込む凹槽１１が設置され、凹槽内には１つの研磨部品２０が設置され、研磨部品には少なくとも1つの研磨面があり、1つの物件に対して研磨を行う。しかも研磨部品は１つの位置決め構造を利用して凹槽内に固定される。【選択図】図１
0003162610.tif 000002
【実用新案登録請求の範囲】
【請求項１】
研磨機能を有すハンド・ツールであって、
1つのグリップ本体が含まれ、前記グリップ本体は少なくとも一端がツール・ヘッドに接続し、前記ツール・ヘッドは1つの工作部品を駆動させていて、
前記グリップ本体の外周面上には少なくとも1つのその中央軸線に向かって深く入り込む凹槽が設置され、前記凹槽内には1つの研磨部品が設置されており、
前記研磨部品には少なくとも1つの研磨面があり、前記研磨面は前記凹槽から外に向かい、1つの物件を研磨し、
前記研磨部品は1つの位置決め構造を利用して前記凹槽内に固定されていることを特徴とする、研磨機能を有すハンド・ツール。
【請求項２】
前記凹槽の底部には1つの凹穴が設置され、前記研磨部品上には1つの凸部が設置されていて、前記凸部が前記凹穴にはめ込まれて、前記研磨部品を前記凹槽に固定することを特徴とする、請求項1に記載する研磨機能を有すハンド・ツール。
【請求項３】
前記凹槽の幅が前記グリップ本体の外面から前記中央縦軸に向かって徐々に縮小し、前記凹槽の一端には開口部が設置されていて、前記研磨部品を前記開口部に挿入し、一体型の蓋体として前記開口部を塞ぐことを特徴とする、請求項1に記載する研磨機能を有すハンド・ツール。
【請求項４】
前記グリップ本体上には1つのネジ穴が設置され、前記蓋体上には1つのボルトが設置されていて、前記ボルトを前記ネジ穴に締め付けることで、前記蓋体と前記グリップ本体を固定することを特徴とする、請求項3に記載する研磨機能を有すハンド・ツール。
【請求項５】
前記凹槽及び前記研磨部品で1つの商標の文字或いは図形の形状を成形することを特徴とする、請求項1に記載する研磨機能を有すハンド・ツール。
【請求項６】
前記凹槽は複数個あり、各1つの前記凹槽内には1つの研磨部品が設置され、各前記研磨部品の前記研磨面はそれぞれ異なる粗さを有していることを特徴とする、請求項1に記載する研磨機能を有すハンド・ツール。
【考案の詳細な説明】
【技術分野】
【０００１】
本考案は一種の研磨機能を有すハンド・ツールに係り、特にグリップには研磨面があり、使用者は直接1つの物件に対して研磨が行えるハンド・ツールに関するものである。
【背景技術】
【０００２】
一種の周知のハンド・ツールのグリップは、特許文献1及び2に見られるように、それらのグリップの周囲面にはいずれも滑り止め面が貼付されていて、それにより使用者の手部に対する摩擦力を増加させて、滑り止め効果を達成している。
【０００３】
特許文献1の技術特徴は、グリップの周囲面に滑り止めテープが貼付されていることにある。特許文献2の技術特徴は、グリップの周囲面に滑り止め粒子が設置されていることにある。
【先行技術文献】
【特許文献】
【０００４】
【特許文献１】米国特許第4,969,231号明細書
【特許文献２】米国特許第5,475,894号明細書
【考案の概要】
【考案が解決しようとする課題】
【０００５】
しかし、上述特許文献1及び2に記載されている技術は、ただ滑り止め機能を有するだけで、研磨機能は有さず、使用者に物件に対する研磨機能を提供することができない。しかも、上述特許文献1に記載する技術の、その滑り止めテープは一種比較的良好な構造設計でグリップに固定されているわけではないため、滑り止めテープとグリップの結合の堅固さは決して良好とは言えない。
【０００６】
そこで、本考案の主な目的は、グリップには研磨面があり、使用者は直接1つの物件に対して研磨が行えるハンド・ツールを提供することにある。
【課題を解決するための手段】
【０００７】
上記の問題を解決するために、本考案は、一種研磨機能を有すハンド・ツールであって、そのグリップ本体の外周面上に少なくとも1つのその中央軸線に向かって深く入り込む凹槽が設置され、凹槽内には1つの研磨部品が設置される。研磨部品は少なくとも1つの研磨面があり、これにより1つの物件に対して研磨を行い、しかも研磨部品は位置決め構造を利用して凹槽内に固定される。
【考案の効果】
【０００８】
本考案の研磨機能を有すハンド・ツールによれば、使用者は作業中に1つの物件に対して研磨を行う必要があると感じた時、直接グリップ上の研磨面を利用して物件に対して研磨が行えるため、使用上で至極便利である。しかも、研磨部品は位置決め構造によってグリップに堅固に結合されているため、その耐用性を向上させる事ができる。
【図面の簡単な説明】
【０００９】
【図１】本考案の実施例１の分解図である。
【図２】本考案の実施例１の組立立体外観図である。
【図３】本考案の実施例１の俯瞰図である。
【図４】本考案の実施例１の横断面図である。
【図５】本考案の実施例２の分解図である。
【図６】本考案の実施例２の俯瞰図である。
【図７】本考案の実施例２の横断面図である。
【図８】本考案の実施例３の分解図である。
【図９】本考案の実施例４の分解図である。
【図１０】本考案の実施例５の立体外観図である。
【図１１】本考案の実施例６の立体外観図である。
【図１２】本考案の実施例７の立体外観図である。
【考案を実施するための形態】
【００１０】
以下、本考案の実施の形態を図面に基づいて説明する。
【実施例１】
【００１１】
図1から4に示すのは、本考案の実施例１である。それには1つのグリップ本体10が含まれ、グリップ本体10は少なくとも一端がツール・ヘッド30に接続され、ツール・ヘッド30は1つの加工部品を駆動させる。グリップ本体10の外周面上には少なくとも1つのその中央軸線に向かって深く入り込む凹槽11が設置され、凹槽11内には1つの研磨部品20が設置されている。研磨部品20には少なくとも1つの研磨面21があり、研磨面21は凹槽11から外に向かっていて、これにより1つの物件に対して研磨を行う。研磨部品20は1つの位置決め構造を利用して凹槽11内に固定されている。凹槽11の幅はグリップ本体10の外周面から中央軸線に向かって徐々に縮小し、凹槽11の一端には1つの開口部111があり、研磨部品20は開口部111に挿入され、1つの蓋体40として開口部111を塞ぐ。グリップ本体10上には1つのネジ穴13が設置され、蓋体40上には1つのボルト41が設置されていて、ボルト41をネジ穴13に締め付けることによって、蓋体40をグリップ本体10に固定させる。
【実施例２】
【００１２】
図5から7に示すのは、本考案の実施例２である。それには1つのグリップ本体10が含まれ、グリップ本体10は少なくとも一端がツール・ヘッド30に接続され、ツール・ヘッド30は1つの加工部品を駆動させる。グリップ本体10の外周面上には少なくとも1つのその中央軸線に向かって深く入り込む凹槽11が設置され、凹槽11内には1つの研磨部品20が設置されている。研磨部品20には少なくとも1つの研磨面21があり、研磨面21は凹槽11から外に向かっていて、これにより1つの物件に対して研磨を行う。研磨部品20は1つの位置決め構造を利用して凹槽11内に固定されている。凹槽11の底部112には1つの凹穴113が設置され、研磨部品20上には1つの凸部23が設置されていて、凸部23を凹穴113にはめ込むことで、研磨部品20を凹槽11内に固定する。
【実施例３】
【００１３】
図8に示すのは、本考案の実施例３である。凹槽11及び研磨部品20で1つの商標の文字或いは図形形状を成形する。
【実施例４】
【００１４】
図9に示すのは、本考案の実施例４であり、凹槽は複数個とすることができる。本図に示す実施例は凹槽11が3個あり、各1つの凹槽内には1つの研磨部品20が設置され、各研磨部品20の研磨面21はそれぞれ異なる粗さを有している。
【実施例５】
【００１５】
図10に示すのは、本考案の実施例５である。ツール・ヘッド30がギア駆動ヘッドであることを示している。
【実施例６】
【００１６】
図11に示すのは、本考案の実施例６である。ツール・ヘッド30がドライバー・ヘッドであることを示している。
【実施例７】
【００１７】
図12に示すのは、本考案の実施例７である。ツール・ヘッド30がグラインダー・ヘッドであることを示している。
【産業上の利用可能性】
【００１８】
本考案の研磨機能を有すハンド・ツールは、工業製造技術で大量製造ができる。
【符号の説明】
【００１９】
１０    グリップ本体
１１    凹槽
１１１  開口部
１１２  底部
１１３  凹穴
１３    ネジ穴
２０    研磨部品
２      研磨面
２３    凸部
３０    ツール・ヘッド
４０    蓋体
４１    ボルト
【図１】
0003162610.tif 000003
【図２】
0003162610.tif 000004
【図３】
0003162610.tif 000005
【図４】
0003162610.tif 000006
【図５】
0003162610.tif 000007
【図６】
0003162610.tif 000008
【図７】
0003162610.tif 000009
【図８】
0003162610.tif 000010
【図９】
0003162610.tif 000011
【図１０】
0003162610.tif 000012
【図１１】
0003162610.tif 000013
【図１２】
0003162610.tif 000014